【手続補正書】
【提出日】平成19年2月28日(2007.2.28)
【手続補正１】
【補正対象書類名】明細書
【補正対象項目名】特許請求の範囲
【補正方法】変更
【補正の内容】
【特許請求の範囲】
【請求項１】インパルス応答が有限時間長で表され、当該インパルス応答がフィルタ係数となっているＦＩＲフィルタであって、
上記フィルタ係数が、任意の周波数点を通過するレムズ交換（Remez Exchange）アルゴリズムを用いて、所望の特性に対して重みつき近似を行うことにより設定されている
ＦＩＲフィルタ。
【請求項２】インパルス応答が有限時間長で表され、当該インパルス応答がフィルタ係数となっているＦＩＲフィルタのフィルタ係数の設定方法であって、
任意の周波数点を通過するような制約条件を加えたアルゴリズムを用いて、所望の特性に対して重みつき近似を行うことにより、上記フィルタ係数を算出する
ＦＩＲフィルタのフィルタ係数の設定方法。
【請求項３】上記重み付け近似は、任意の周波数点を通過するレムズ交換（Remez Exchange）アルゴリズムを用いて、所望の特性に対して行う
請求項２記載のＦＩＲフィルタのフィルタ係数の設定方法。
【請求項４】インパルス応答が有限時間長で表され、当該インパルス応答がフィルタ係数となっているＦＩＲフィルタのフィルタ係数の設定方法であって、
周波数の振幅特性の極値点と通過させたい周波数点から振幅特性を補間する補間多項式を生成する第１ステップと、
上記第１ステップで得られた補間多項式から求められた振幅特性から新しい極値点を決定する第２ステップと、
上記第１ステップおよび第２ステップを繰り返し、所定条件により終了する第３ステップと、
上記第３ステップで近似された振幅特性から上記フィルタ係数を求める第４ステップと
を有するＦＩＲフィルタのフィルタ係数の設定方法。
【請求項５】上記第１ステップを行う前に、少なくともＦＩＲフィルタの設定、バンドの設定、通過させたい任意の周波数点の入力、初期極値点の設定を行う初期設定ステップ
を有する請求項４記載のＦＩＲフィルタのフィルタ係数の設定方法。
【請求項６】上記第２ステップおよび第３ステップでは、補間に用いた極値点から計算される重みつき近似誤差の極値を近似帯域全体にわたり探し求め、求めた極値を新しい極値点とし、極値の位置が変化しなくなったときに最適近似が得られたと判断する
請求項４記載のＦＩＲフィルタのフィルタ係数の設定方法。
【請求項７】上記第４ステップでは、任意の周波数点を通過するような制約条件を加えたアルゴリズムを用いて、所望の特性に対して重みつき近似を行うことにより、上記フィルタ係数を算出する
請求項４記載のＦＩＲフィルタのフィルタ係数の設定方法。
【請求項８】上記重み付け近似は、任意の周波数点を通過するレムズ交換（Remez Exchange）アルゴリズムを用いて、所望の特性に対して行う
請求項７記載のＦＩＲフィルタのフィルタ係数の設定方法。
【請求項９】インパルス応答が有限時間長で表され、当該インパルス応答がフィルタ係数となっており、任意のタップを有するＦＩＲフィルタであって、
上記フィルタ係数が、上記タップ数を可変とし、バンドを固定した場合に、阻止域の減衰量を満足する任意の周波数点を通過するような制約条件を加えたアルゴリズムを用いて、阻止域の減衰量を満足するように、所望の特性に対して重みつき近似を行うことにより設定されている
ＦＩＲフィルタ。
【請求項１０】インパルス応答が有限時間長で表され、当該インパルス応答がフィルタ係数となっており、任意のタップを有するＦＩＲフィルタのフィルタ係数の設定方法であって、
上記タップ数を可変とし、バンドを固定した場合に、阻止域の減衰量を満足する任意の周波数点を通過するような制約条件を加えたアルゴリズムを用いて、阻止域の減衰量を満足するように、所望の特性に対して重みつき近似を行うことにより、上記フィルタ係数を算出する
ＦＩＲフィルタのフィルタ係数の設定方法。
【請求項１１】上記重み付け近似は、阻止域の減衰量を満足する任意の周波数点を通過するレムズ交換（Remez Exchange）アルゴリズムを用いて、所望の特性に対して行う
請求項１０記載のＦＩＲフィルタのフィルタ係数の設定方法。
【請求項１２】インパルス応答が有限時間長で表され、当該インパルス応答がフィルタ係数となっており、タップ数が変更可能で、バンドが固定されているＦＩＲフィルタのフィルタ係数の設定方法であって、
周波数の振幅特性の極値点と通過させたい周波数点から振幅特性を補間する補間多項式を生成する第１ステップと、
上記第１ステップで得られた補間多項式から求められた振幅特性から新しい極値点を決定する第２ステップと、
上記第１ステップおよび第２ステップを繰り返し、所定条件により終了する第３ステップと、
上記第３ステップで近似された振幅特性から阻止域の減衰量を調べる第４ステップと、
調べた減衰量と指定した阻止域の減衰量を比較し、比較結果が所定の条件を満足しているか否かを判断する第５ステップと、
上記第５ステップの比較結果が所定の条件を満足していない場合にタップ数を変更する第６ステップと、
上記第５ステップで所定の条件を満足した上記第３ステップにより近似された振幅特性から上記フィルタ係数を求める第７ステップと
を有するＦＩＲフィルタのフィルタ係数の設定方法。
【請求項１３】  上記第１ステップを行う前に、少なくともＦＩＲフィルタの設定、バンドの設定、通過させたい任意の周波数点の入力、初期極値点の設定、阻止域の減衰量の指定を行う初期設定ステップ
を有する請求項１２記載のＦＩＲフィルタのフィルタ係数の設定方法。
【請求項１４】上記第４ステップでは、阻止域における最小の減衰量を調べ、
上記第６ステップではタップ数を増やす
請求項１２記載のＦＩＲフィルタのフィルタ係数の設定方法。
【請求項１５】上記第７ステップでは、上記タップ数を可変とし、バンドを固定した場合に、阻止域の減衰量を満足する任意の周波数点を通過するような制約条件を加えたアルゴリズムを用いて、阻止域の減衰量を満足するように、所望の特性に対して重みつき近似を行うことにより、上記フィルタ係数を算出する
請求項１２記載のＦＩＲフィルタのフィルタ係数の設定方法。
【請求項１６】上記重み付け近似は、阻止域の減衰量を満足する任意の周波数点を通過するレムズ交換（Remez Exchange）アルゴリズムを用いて、所望の特性に対して行う
請求項１５記載のＦＩＲフィルタのフィルタ係数の設定方法。
【請求項１７】インパルス応答が有限時間長で表され、当該インパルス応答がフィルタ係数となっており、任意のタップを有するＦＩＲフィルタであって、
上記フィルタ係数が、上記タップ数が固定で、バンド設定は変更可能な場合に、阻止域の減衰量を満足する任意の周波数点を通過するような制約条件を加えたアルゴリズムを用いて、阻止域の減衰量を満足するように、所望の特性に対して重みつき近似を行うことにより設定されている
ＦＩＲフィルタ。
【請求項１８】インパルス応答が有限時間長で表され、当該インパルス応答がフィルタ係数となっており、任意のタップを有するＦＩＲフィルタのフィルタ係数の設定方法であって、
上記タップ数が固定で、バンド設定は変更可能な場合に、阻止域の減衰量を満足する任意の周波数点を通過するような制約条件を加えたアルゴリズムを用いて、阻止域の減衰量を満足するように、所望の特性に対して重みつき近似を行うことにより、上記フィルタ係数を算出する
ＦＩＲフィルタのフィルタ係数の設定方法。
【請求項１９】上記重み付け近似は、阻止域の減衰量を満足する任意の周波数点を通過するレムズ交換（Remez Exchange）アルゴリズムを用いて、所望の特性に対して行う
請求項１８記載のＦＩＲフィルタのフィルタ係数の設定方法。
【請求項２０】インパルス応答が有限時間長で表され、当該インパルス応答がフィルタ係数となっており、タップ数が固定で、バンド設定は変更可能なＦＩＲフィルタのフィルタ係数の設定方法であって、
周波数の振幅特性の極値点と通過させたい周波数点から振幅特性を補間する補間多項式を生成する第１ステップと、
上記第１ステップで得られた補間多項式から求められた振幅特性から新しい極値点を決定する第２ステップと、
上記第１ステップおよび第２ステップを繰り返し、所定条件により終了する第３ステップと、
上記第３ステップで近似された振幅特性から阻止域の減衰量を調べる第４ステップと、
調べた減衰量と指定した阻止域の減衰量を比較し、比較結果が所定の条件を満足しているか否かを判断する第５ステップと、
上記第５ステップの比較結果が所定の条件を満足していない場合にバンドの設定を変更する第６ステップと、
上記第５ステップで所定の条件を満足した上記第３ステップにより近似された振幅特性から上記フィルタ係数を求める第７ステップと
を有するＦＩＲフィルタのフィルタ係数の設定方法。
【請求項２１】上記第１ステップを行う前に、少なくともＦＩＲフィルタの設定、バンドの設定、通過させたい任意の周波数点の入力、初期極値点の設定、阻止域の減衰量の指定を行う初期設定ステップ
を有する請求項２０記載のＦＩＲフィルタのフィルタ係数の設定方法。
【請求項２２】上記第４ステップでは、阻止域における最小の減衰量を調べる
請求項２０記載のＦＩＲフィルタのフィルタ係数の設定方法。
【請求項２３】上記第７ステップでは、上記タップ数が固定で、バンド設定は変更可能な場合に、阻止域の減衰量を満足する任意の周波数点を通過するような制約条件を加えたアルゴリズムを用いて、阻止域の減衰量を満足するように、所望の特性に対して重みつき近似を行うことにより、上記フィルタ係数を算出する
請求項２０記載のＦＩＲフィルタのフィルタ係数の設定方法。
【請求項２４】上記重み付け近似は、阻止域の減衰量を満足する任意の周波数点を通過するレムズ交換（Remez Exchange）アルゴリズムを用いて、所望の特性に対して行う
請求項２３記載のＦＩＲフィルタのフィルタ係数の設定方法。
【請求項２５】インパルス応答が有限時間長で表され、当該インパルス応答がフィルタ係数となっており、任意のタップを有するＦＩＲフィルタであって、
上記フィルタ係数が、上記タップ数が可変で、バンド設定は変更可能な場合に、阻止域の減衰量を満足する任意の周波数点を通過するような制約条件を加えたアルゴリズムを用いて、阻止域の減衰量を満足するように、所望の特性に対して重みつき近似を行うことにより設定されている
ＦＩＲフィルタ。
【請求項２６】インパルス応答が有限時間長で表され、当該インパルス応答がフィルタ係数となっており、任意のタップを有するＦＩＲフィルタのフィルタ係数の設定方法であって、
上記タップ数が可変で、バンド設定は変更可能な場合に、阻止域の減衰量を満足する任意の周波数点を通過するような制約条件を加えたアルゴリズムを用いて、阻止域の減衰量を満足するように、所望の特性に対して重みつき近似を行うことにより、上記フィルタ係数を算出する
ＦＩＲフィルタのフィルタ係数の設定方法。
【請求項２７】上記重み付け近似は、阻止域の減衰量を満足する任意の周波数点を通過するレムズ交換（Remez Exchange）アルゴリズムを用いて、所望の特性に対して行う
請求項２６記載のＦＩＲフィルタのフィルタ係数の設定方法。
【請求項２８】インパルス応答が有限時間長で表され、当該インパルス応答がフィルタ係数となっており、タップ数が可変で、バンド設定は変更可能なＦＩＲフィルタのフィルタ係数の設定方法であって、
周波数の振幅特性の極値点と通過させたい周波数点から振幅特性を補間する補間多項式を生成する第１ステップと、
上記第１ステップで得られた補間多項式から求められた振幅特性から新しい極値点を決定する第２ステップと、
上記第１ステップおよび第２ステップを繰り返し、所定条件により終了する第３ステップと、
上記第３ステップで近似された振幅特性から阻止域の減衰量を調べる第４ステップと、
調べた減衰量と指定した阻止域の減衰量を比較し、比較結果が所定の条件を満足しているか否かを判断する第５ステップと、
上記第５ステップの比較結果が所定の条件を満足していない場合にバンドの設定を変更する第６ステップと、
上記第６ステップでバンド変更後、現在のタップ数で阻止域の減衰量を満足できるか否かを判断する第７ステップと、
上記第７ステップで満足していないと判断した場合に、タップ数を変更する第８ステップと、
上記第５ステップで所定の条件を満足した上記第３ステップにより近似された振幅特性から上記フィルタ係数を求める第９ステップと
を有するＦＩＲフィルタのフィルタ係数の設定方法。
【請求項２９】上記第１ステップを行う前に、少なくともＦＩＲフィルタの設定、バンドの設定、通過させたい任意の周波数点の入力、初期極値点の設定、阻止域の減衰量の指定を行う初期設定ステップ
を有する請求項２８載のＦＩＲフィルタのフィルタ係数の設定方法。
【請求項３０】上記第４ステップでは、阻止域における最小の減衰量を調べ、
上記第８ステップではタップ数を増やす
請求項２８記載のＦＩＲフィルタのフィルタ係数の設定方法。
【請求項３１】上記第９ステップでは、上記タップ数が可変で、バンド設定は変更可能な場合に、阻止域の減衰量を満足する任意の周波数点を通過するような制約条件を加えたアルゴリズムを用いて、阻止域の減衰量を満足するように、所望の特性に対して重みつき近似を行うことにより、上記フィルタ係数を算出する
請求項２８記載のＦＩＲフィルタのフィルタ係数の設定方法。
【請求項３２】上記重み付け近似は、阻止域の減衰量を満足する任意の周波数点を通過するレムズ交換（Remez Exchange）アルゴリズムを用いて、所望の特性に対して行う
請求項３１記載のＦＩＲフィルタのフィルタ係数の設定方法。
【請求項３３】インパルス応答が有限時間長で表され、当該インパルス応答がフィルタ係数となっており、任意のタップを有するＦＩＲフィルタであって、
上記フィルタ係数が、上記タップ数が固定で、バンド設定は変更可能な場合に、阻止域の減衰量を満足し、かつ遷移域の指定周波数の減衰量を通過する、任意の周波数点を通過するような制約条件を加えたアルゴリズムを用いて、阻止域の減衰量を満足するように、所望の特性に対して重みつき近似を行うことにより設定されている
ＦＩＲフィルタ。
【請求項３４】インパルス応答が有限時間長で表され、当該インパルス応答がフィルタ係数となっており、任意のタップを有するＦＩＲフィルタのフィルタ係数の設定方法であって、
上記タップ数が固定で、バンド設定は変更可能な場合に、阻止域の減衰量を満足し、かつ遷移域の指定周波数の減衰量を通過する、任意の周波数点を通過するような制約条件を加えたアルゴリズムを用いて、阻止域の減衰量を満足するように、所望の特性に対して重みつき近似を行うことにより、上記フィルタ係数を算出する
ＦＩＲフィルタのフィルタ係数の設定方法。
【請求項３５】上記重み付け近似は、阻止域の減衰量を満足し、かつ遷移域の指定周波数の減衰量を通過する、任意の周波数点を通過するレムズ交換（Remez Exchange）アルゴリズムを用いて、所望の特性に対して行う
請求項３４記載のＦＩＲフィルタのフィルタ係数の設定方法。
【請求項３６】インパルス応答が有限時間長で表され、当該インパルス応答がフィルタ係数となっており、タップ数が固定で、バンド設定は変更可能なＦＩＲフィルタのフィルタ係数の設定方法であって、
周波数の振幅特性の極値点と通過させたい周波数点から振幅特性を補間する補間多項式を生成する第１ステップと、
上記第１ステップで得られた補間多項式から求められた振幅特性から新しい極値点を決定する第２ステップと、
上記第１ステップおよび第２ステップを繰り返し、所定条件により終了する第３ステップと、
上記第３ステップで近似された振幅特性から阻止域の減衰量を調べる第４ステップと、
上記第４ステップで調べた減衰量と指定した阻止域の減衰量を比較し、比較結果が所定の条件を満足しているか否かを判断する第５ステップと、
上記第５ステップの比較結果が所定の条件を満足していない場合にバンドの設定を変更する第６ステップと、
上記第５ステップで所定の条件を満足した遷移域の指定周波数の減衰量を調べる第７ステップと、
上記第７ステップで調べた遷移域の指定周波数の減衰量と指定した遷移域の減衰量を比較し、比較結果が所定の条件を満足しているか否かを判断する第８ステップと、
上記第７ステップの比較結果が所定の条件を満足していない場合にバンドの設定を変更する第９ステップと、
上記第７ステップで所定の条件を満足した近似された振幅特性から上記フィルタ係数を求める第１０ステップと
を有するＦＩＲフィルタのフィルタ係数の設定方法。
【請求項３７】上記第１ステップを行う前に、少なくともＦＩＲフィルタの設定、バンドの設定、通過させたい任意の周波数点の入力、初期極値点の設定、阻止域の減衰量の指定、遷移域の指定周波数での減衰量の指定を行う初期設定ステップ
を有する請求項３６記載のＦＩＲフィルタのフィルタ係数の設定方法。
【請求項３８】上記第４ステップでは、阻止域における最小の減衰量を調べる
請求項３６記載のＦＩＲフィルタのフィルタ係数の設定方法。
【請求項３９】上記第１０ステップでは、上記タップ数が固定で、バンド設定は変更可能な場合に、阻止域の減衰量を満足し、かつ遷移域の指定周波数の減衰量を通過する、任意の周波数点を通過するような制約条件を加えたアルゴリズムを用いて、阻止域の減衰量を満足するように、所望の特性に対して重みつき近似を行うことにより、上記フィルタ係数を算出する
請求項３６記載のＦＩＲフィルタのフィルタ係数の設定方法。
【請求項４０】上記重み付け近似は、阻止域の減衰量を満足し、かつ遷移域の指定周波数の減衰量を通過する、任意の周波数点を通過するレムズ交換（Remez Exchange）アルゴリズムを用いて、所望の特性に対して行う
請求項３９記載のＦＩＲフィルタのフィルタ係数の設定方法。
【請求項４１】インパルス応答が有限時間長で表され、当該インパルス応答がフィルタ係数となっており、任意のタップを有するＦＩＲフィルタであって、
上記フィルタ係数が、上記タップ数が可変で、バンド設定は変更可能な場合に、阻止域の減衰量を満足し、かつ遷移域の指定周波数の減衰量を通過する、任意の周波数点を通過するような制約条件を加えたアルゴリズムを用いて、阻止域の減衰量を満足するように、所望の特性に対して重みつき近似を行うことにより設定されている
ＦＩＲフィルタ。
【請求項４２】インパルス応答が有限時間長で表され、当該インパルス応答がフィルタ係数となっており、任意のタップを有するＦＩＲフィルタのフィルタ係数の設定方法であって、
上記タップ数が可変で、バンド設定は変更可能な場合に、阻止域の減衰量を満足し、かつ遷移域の指定周波数の減衰量を通過する、任意の周波数点を通過するような制約条件を加えたアルゴリズムを用いて、阻止域の減衰量を満足するように、所望の特性に対して重みつき近似を行うことにより、上記フィルタ係数を算出する
ＦＩＲフィルタのフィルタ係数の設定方法。
【請求項４３】上記重み付け近似は、阻止域の減衰量を満足し、かつ遷移域の指定周波数の減衰量を通過する、任意の周波数点を通過するレムズ交換（Remez Exchange）アルゴリズムを用いて、所望の特性に対して行う
請求項４２記載のＦＩＲフィルタのフィルタ係数の設定方法。
【請求項４４】インパルス応答が有限時間長で表され、当該インパルス応答がフィルタ係数となっており、タップ数が可変で、バンド設定は変更可能なＦＩＲフィルタのフィルタ係数の設定方法であって、
周波数の振幅特性の極値点通過させたい周波数点から振幅特性を補間する補間多項式を生成する第１ステップと、
上記第１ステップで得られた補間多項式から求められた振幅特性から新しい極値点を決定する第２ステップと、
上記第１ステップおよび第２ステップを繰り返し、所定条件により終了する第３ステップと、
上記第３ステップで近似された振幅特性から阻止域の減衰量を調べる第４ステップと、
上記第４ステップで調べた減衰量と指定した阻止域の減衰量を比較し、比較結果が所定の条件を満足しているか否かを判断する第５ステップと、
上記第５ステップの比較結果が所定の条件を満足していない場合にバンドの設定を変更する第６ステップと、
上記第６ステップでバンド変更後、現在のタップ数で阻止域の減衰量を満足できるか否かを判断する第７ステップと、
上記第７ステップで満足できないと判断した場合にタップ数を変更する第８ステップと、
上記第５ステップで所定の条件を満足した遷移域の指定周波数の減衰量を調べる第９ステップと、
上記第９ステップで調べた遷移域の指定周波数の減衰量と指定した遷移域の減衰量を比較し、比較結果が所定の条件を満足しているか否かを判断する第１０ステップと、
上記第１０ステップの比較結果が所定の条件を満足していない場合にバンドの設定を変更する第１１ステップと、
上記第１１ステップでバンド変更後、現在のタップ数で遷移域の指定周波数を通過させることができるか否かを判断する第１２ステップと、
上記第１２ステップで通過させることができないと判断した場合にタップ数を変更する第１３ステップと、
上記第１０ステップで所定の条件を満足した近似された振幅特性から上記フィルタ係数を求める第１４ステップと
を有するＦＩＲフィルタのフィルタ係数の設定方法。
【請求項４５】上記第１ステップを行う前に、少なくともＦＩＲフィルタの設定、バンドの設定、通過させたい任意の周波数点の入力、初期極値点の設定、阻止域の減衰量の指定、遷移域の指定周波数での減衰量の指定を行う初期設定ステップ
を有する請求項４４記載のＦＩＲフィルタのフィルタ係数の設定方法。
【請求項４６】上記第４ステップでは、阻止域における最小の減衰量を調べ、
上記第８ステップおよび第１３ステップではタップ数を増やす
請求項４４記載のＦＩＲフィルタのフィルタ係数の設定方法。
【請求項４７】上記第１４ステップでは、上記タップ数が固定で、バンド設定は変更可能な場合に、阻止域の減衰量を満足し、かつ遷移域の指定周波数の減衰量を通過する、任意の周波数点を通過するような制約条件を加えたアルゴリズムを用いて、阻止域の減衰量を満足するように、所望の特性に対して重みつき近似を行うことにより、上記フィルタ係数を算出する
請求項４４記載のＦＩＲフィルタのフィルタ係数の設定方法。
【請求項４８】上記重み付け近似は、阻止域の減衰量を満足し、かつ遷移域の指定周波数の減衰量を通過する、任意の周波数点を通過するレムズ交換（Remez Exchange）アルゴリズムを用いて、所望の特性に対して行う
請求項４７記載のＦＩＲフィルタのフィルタ係数の設定方法。
【手続補正２】
【補正対象書類名】明細書
【補正対象項目名】０００９
【補正方法】変更
【補正の内容】
【０００９】
【課題を解決するための手段】
上記目的を達成するため、本発明は、インパルス応答が有限時間長で表され、当該インパルス応答がフィルタ係数となっておいるＦＩＲフィルタであって、上記フィルタ係数が、任意の周波数点を通過するレムズ交換（Remez Exchange）アルゴリズムを用いて、所望の特性に対して重みつき近似を行うことにより設定されている。
【手続補正３】
【補正対象書類名】明細書
【補正対象項目名】００９８
【補正方法】変更
【補正の内容】
【００９８】
図７は、全点入れ替え法の概念図である。
簡単に説明すると、図７中の黒丸が補間に用いた極値点を表し、この極値点から求めた重みつき近似誤差Ｅ（ｅjw）が実線に相当する。
図７（Ａ）に示すように、黒丸の極値点での重みつき近似誤差の値は白丸となるが、実際の極値は四角で示す周波数である。そこで、四角で示す周波数を新しい極値点として、ｓｔｅｐ１の処理に戻る。
また、図７（Ｂ）に示すように、補間に用いた極値点と実際の極値の周波数がずれているので、四角で示す周波数を新しい極値点として、ｓｔｅｐ１の処理に戻る。
そして、図７（Ｃ）に示すように、補間に用いた極値点と、実際の重みつき近似誤差の極値点( 白丸) が同じになったときに、繰り返しは終了する。
【手続補正４】
【補正対象書類名】明細書
【補正対象項目名】０１７０
【補正方法】変更
【補正の内容】
【０１７０】
なお、図１９中において、実線は阻止域の減衰量を満足する最小の阻止域の始点周波数をもつ低域通過フィルタの周波数応答を示している。また、点線はあらかじめ与えたバンドの区切りを示し、黒丸は指定して周波数点を示している。
【手続補正５】
【補正対象書類名】明細書
【補正対象項目名】０３０４
【補正方法】変更
【補正の内容】
【０３０４】
なお、図３７中において、実線は阻止域の減衰量が−６０ｄＢ以下になる遷移域の周波数０．４πで減衰量−１２ｄＢ以下となる最小のタップ数（１７タップ）の低域通過フィルタの周波数応答を示している。また、点線はあらかじめ与えたバンドの区切りを示し、黒丸は指定した周波数点を示している。